(57)【要約】【課題】  簡単な構造で、地震時おいて、躯体間のクリアランススペースの変形に確実に追従する。【解決手段】エキスパンションジョイント１は、一方の躯体Ｋ１に設けられ、クリアランススペースＳの長手方向に沿って設定間隔をおいて複数個の長孔が形成されるとともに、複数個の半円筒状支持具２５が固定されたフレーム２３を有する支持部材２と、クリアランススペースＳの長手方向と平行に設定間隔をおいて他方の躯体Ｋ２に設けられた２個の受部材３，４と、支持部材２におけるフレーム２３の長孔に対応して複数本の連結ボルト６が一端部に設けられた複数の床部材５と、から構成される。そして、各床部材５の一端部が半円筒状支持具２５に載置されるとともに、フレーム２３の長孔に挿通された連結ボルト６にナット８が締結されて支持部材２に床部材５が連結され、その略半部が２個の受部材３，４にわたって支持される。【選択図】  図２
2007002611.tif 000002
【特許請求の範囲】
【請求項１】
地震時に相対変位を生じる躯体間のクリアランススペースに架設されたエキスパンションジョイントにおいて、このエキスパンションジョイントは、一方の躯体に設けられ、クリアランススペースの長手方向に沿って設定間隔をおいて複数個の長孔が形成されるとともに、複数個の半円筒状支持具が固定されたフレームを有する支持部材と、クリアランススペースの長手方向と平行に設定間隔をおいて他方の躯体に設けられた２個の受部材と、前記支持部材におけるフレームの長孔に対応して複数本の連結ボルトが一端部に設けられた複数の床部材と、から構成され、前記各床部材の一端部が半円筒状支持具に載置されるとともに、フレームの長孔に挿通された連結ボルトにナットが締結されて支持部材に床部材が連結され、その略半部が２個の受部材にわたって支持されることを特徴とするエキスパンションジョイント。
【請求項２】
地震時に相対変位を生じる躯体間のクリアランススペースに架設されたエキスパンションジョイントにおいて、このエキスパンションジョイントは、一方の躯体に設けられ、クリアランススペースの長手方向に沿って設定間隔をおいて複数個の長孔が形成されたフレームを有する支持部材と、クリアランススペースの長手方向と平行に設定間隔をおいて他方の躯体に設けられた２個の受部材と、クリアランススペースの長手方向に沿って設定間隔をおいて複数個の半円筒状支持具が一端部に固定された複数の床部材と、から構成され、前記各床部材の一端部が半円筒状支持具を介して支持部材のフレームに載置されるとともに、フレームの長孔に挿通された連結ボルトにナットが締結されて支持部材に床部材が連結され、その略半部が２個の受部材にわたって支持されることを特徴とするエキスパンションジョイント。
【請求項３】
前記連結ボルトにクッションゴムを介在して床部材と支持部材のフレームとが連結されていることを特徴とする請求項１または請求項２記載のエキスパンションジョイント。
【発明の詳細な説明】
【技術分野】
【０００１】
この発明は、免震建築物のクリアランススペースに設けられるエキスパンションジョイントに関するものである。
【背景技術】
【０００２】
近年、基礎を含む下部構造と上部構造の間にアイソレーター、ダンパー、すべり支承などの免震装置を設け、上部構造の固有周期を延長、減衰させて、地震動に対する応答を低減する免震構造の建物が建築されるようになっている。このような免震構造の建物は、免震装置の変形により地震のエネルギーを吸収し、建物本体への地震力を１／３〜１／５に低減できるので、地震時に建物本体とその機能を守り、人命と財産を守ることができる。
【０００３】
この場合、建物本体全周に免震による最大の変位量を考慮したクリアランススペースを確保する必要がある。また、クリアランススペースの変形に追従するように、下部構造と建物本体の人または車両の出入り口通路部を含む全周にわたってクリアランススペースを跨ぐエキスパンションジョイントを架設する必要がある（例えば、特許文献１，２参照）。
【特許文献１】特開平９−２５６４８２号公報
【特許文献２】特開平１０−８２１０１号公報
【発明の開示】
【発明が解決しようとする課題】
【０００４】
しかしながら、前述したエキスパンションジョイントにおいては、部品点数が多く、組立に多くの時間が必要になるばかりでなく、相対的に摺動可能な嵌合部を有するため、地震時において、嵌合部が円滑に摺動するように、日常の保守点検が不可欠となり、コストがかさむという欠点があった。
【０００５】
本発明は、このような問題点に鑑みてなされたもので、簡単な構造で、地震時おいて、躯体間のクリアランススペースの変形に確実に追従することができるエキスパンションジョイントを提供するものである。
【課題を解決するための手段】
【０００６】
本発明は、地震時に相対変位を生じる躯体間のクリアランススペースに架設されたエキスパンションジョイントにおいて、このエキスパンションジョイントは、一方の躯体に設けられ、クリアランススペースの長手方向に沿って設定間隔をおいて複数個の長孔が形成されるとともに、複数個の半円筒状支持具が固定されたフレームを有する支持部材と、クリアランススペースの長手方向と平行に設定間隔をおいて他方の躯体に設けられた２個の受部材と、前記支持部材におけるフレームの長孔に対応して複数本の連結ボルトが一端部に設けられた複数の床部材と、から構成され、前記各床部材の一端部が半円筒状支持具に載置されるとともに、フレームの長孔に挿通された連結ボルトにナットが締結されて支持部材に床部材が連結され、その略半部が２個の受部材にわたって支持されることを特徴とするものである。
【０００７】
本発明によれば、地震時において、一方の躯体と他方の躯体との間のクリアランススペースが変形した場合、例えば、一方の躯体に対して他方の躯体が相対的に上下方向に変位した場合、床部材は、半円筒状支持具に載置されているため、その円筒面に沿って回動し、上下方向の変位に対して追従することができる。この場合、連結ボルトの揺動は、フレームの長孔によって許容される。また、一方の躯体に対して他方の躯体がクリアランススペースの幅方向に変位した場合、床部材は、受部材に支持されて摺動し、幅方向の変位に追従することができる。この場合、クリアランススペースの幅に相当する長さ変位することを許容するように、２個の受部材間の間隔は、ほぼクリアランススペースの幅に相当する長さとなる。さらに、一方の躯体に対して他方の躯体がクリアランススペースの長手方向に変位した場合、床部材は、クリアランススペースの長手方向と平行に延びる２個の受部材に支持されて摺動し、長手方向の変位に追従することができる。
【０００８】
なお、床部材および支持部材は、連結ボルトおよびナットを介して連結されているため、床部材が支持部材から離脱することはない。
【０００９】
この結果、床部材を半円筒状支持具に載置し、連結ボルトおよびナットを介して床部材および支持部材を連結するという簡単な構造にも関わらず、地震によって躯体間に生じる相対的な３次元の変位に確実に追従することができる。
【００１０】
本発明は、地震時に相対変位を生じる躯体間のクリアランススペースに架設されたエキスパンションジョイントにおいて、このエキスパンションジョイントは、一方の躯体に設けられ、クリアランススペースの長手方向に沿って設定間隔をおいて複数個の長孔が形成されたフレームを有する支持部材と、クリアランススペースの長手方向と平行に設定間隔をおいて他方の躯体に設けられた２個の受部材と、クリアランススペースの長手方向に沿って設定間隔をおいて複数個の半円筒状支持具が一端部に固定された複数の床部材と、から構成され、前記各床部材の一端部が半円筒状支持具を介して支持部材のフレームに載置されるとともに、フレームの長孔に挿通された連結ボルトにナットが締結されて支持部材に床部材が連結され、その略半部が２個の受部材にわたって支持されることを特徴とするものである。
【００１１】
本発明によれば、地震時において、一方の躯体と他方の躯体との間のクリアランススペースが変形した場合、例えば、一方の躯体に対して他方の躯体が相対的に上下方向に変位した場合、床部材は、半円筒状支持具を介して支持部材のフレームに載置されているため、その円筒面がフレームを転動し、上下方向の変位に対して追従することができる。この場合、連結ボルトの揺動は、フレームの長孔によって許容される。また、一方の躯体に対して他方の躯体がクリアランススペースの幅方向に変位した場合、床部材は、受部材に支持されて摺動し、幅方向の変位に追従することができる。この場合、クリアランススペースの幅に相当する長さ変位することを許容するように、２個の受部材間の間隔は、ほぼクリアランススペースの幅に相当する長さとなる。さらに、一方の躯体に対して他方の躯体がクリアランススペースの長手方向に変位した場合、床部材は、クリアランススペースの長手方向と平行に延びる２個の受部材に支持されて摺動し、長手方向の変位に追従することができる。
【００１２】
なお、床部材および支持部材は、連結ボルトおよびナットを介して連結されているため、床部材が支持部材から離脱することはない。
【００１３】
この結果、床部材に設けた半円筒状支持具を支持部材のフレームに載置し、連結ボルトおよびナットを介して床部材および支持部材を連結するという簡単な構造にも関わらず、地震によって躯体間に生じる相対的な３次元の変位に確実に追従することができる。
【００１４】
本発明において、前記連結ボルトにクッションゴムを介在して床部材と支持部材のフレームとが連結されていると、支持部材に対する床部材の衝撃を緩衝することができるため、好ましい。
【発明の効果】
【００１５】
本発明によれば、地震時おいて、躯体間のクリアランススペースの変形に確実に追従することができる。また、構造が簡単で安価に製造できる。
【発明を実施するための最良の形態】
【００１６】
以下、本発明の実施の形態を図面に基づいて説明する。
【００１７】
図１乃至図４には、本発明のエキスパンションジョイント１の一実施形態が示されている。
【００１８】
このエキスパンションジョイント１は、一方の躯体Ｋ１に設けられた支持部材２と、他方の躯体Ｋ２に設けられた２個の受部材３，４と、クリアランススペースＳを跨いで躯体Ｋ１，Ｋ２間に架設された複数個の床部材５と、から構成されている。
【００１９】
ここで、一方の躯体Ｋ１は、建物本体であり、また、他方の躯体Ｋ２は、詳細には図示しないが、基礎に打設された床版コンクリートおよび該床版コンクリートの周囲に形成された擁壁からなる免震ピットであって、建物本体は、免震ピットの床版コンクリートに免震装置を介して構築されている。そして、一方の躯体Ｋ１である建物本体と、他方の躯体Ｋ２である免震ピットの擁壁との間に全周にわたってクリアランススペースＳが形成されている（図１参照）。
【００２０】
支持部材２は、一方の躯体Ｋ１に固定された断面略Ｚ字状のベース板２１と、ベース板２１に溶着された受け材２２と、これらのベース板２１および受け材２２に一体に溶着された断面Ｌ字状のフレーム２３と、フレーム２３の上端面から上端部が設定長さ突出するようにフレーム２３に溶着された床見切り２４と、フレーム２３に長手方向に設定間隔をおいて固定された複数対の半円筒状支持具２５と、からなり、クリアランススペースＳに臨んで設けられている。そして、フレーム２３には、一対の半円筒状支持具２５，２５間に位置して、長手方向に直交する方向に長軸を有する複数個の長孔２３ａ（図４参照）が形成されており、後述する床部材５に設けた連結ボルト６の揺動を許容するようになっている。
【００２１】
なお、一対の半円筒状支持具２５は、後述する各床部材５の両端部近傍に対応する位置にそれぞれ設けられている。
【００２２】
一方の受部材３は、他方の躯体Ｋ２に固定された下地材３１と、上端部が躯体Ｋ２の上面から設定長さ突出するように、下地材３１に溶着された受け材３２と、からなり、前述した支持部材２と対向してクリアランススペースＳに臨んでその長手方向に沿って設けられている。
【００２３】
他方の受部材４は、他方の躯体Ｋ２に固定された下地材４１と、上端部が躯体Ｋ２の上面から設定長さ突出するように、下地材４１に溶着された断面Ｌ字状の支持材４２と、からなり、前述した一方の受部材３から設定間隔をおいて、かつ、該受部材３と平行に設けられている。
【００２４】
各床部材５は、図４に詳細に示すように、断面Ｌ字状の床フレーム５１と、床フレーム５１の長手方向に間隔をおいて連結された複数の縦補強材５２と、複数の縦補強材５２にわたってその長手方向に間隔をおいて連結された複数の横補強材５３と、これらの床フレーム５１、縦補強材５２および横補強材５３の上端縁に設置された床板５４と、からなり、床フレーム５１の両端部には、前述したフレーム２３に形成された長孔２３ａに対応して連結ボルト６が垂設されるとともに、フレーム２３に設けられた半円筒状支持具２５に対応して支持板５５が溶着されている。
【００２５】
なお、支持板５５は、床フレーム５１に溶着された複数の補強板５６を介して連結ボルト６とともに補強されている。
【００２６】
次に、このように構成されたエキスパンションジョイント１の組立要領を説明する。
【００２７】
まず、一方の躯体Ｋ１にベース板２１をアンカーボルトを介して固定した後、ベース板２１に受け材２２を溶着し、次いで、これらのベース板２１および受け材２２間にわたってフレーム２３を溶着し、支持部材２を形成する。この際、フレーム２３には、設定間隔をおいて長孔２３ａが形成されている他、各長孔２３ａを挟んで一対の半円筒状支持具２５が溶着され、また、床見切り２４が溶着されている。
【００２８】
他方の躯体Ｋ２においては、クリアランススペースＳに臨んで下地材３１を敷設するとともに、下地材３１に受け材３２を溶着して一方の受部材３を形成する。さらに、一方の受部材３と平行に、かつ、設定間隔をおいて、他方の躯体Ｋ２に下地材４１を敷設するとともに、下地材４１に支持材４２を溶着して他方の受部材４を形成する。
【００２９】
支持部材２、受部材３，４が取り付けられたならば、クリアランススペースＳを跨ぐように、一方の躯体Ｋ１に設けられた支持部材２および他方の躯体Ｋ２に設けられた受部材３，４にわたって複数の床部材５を順次架設する。この際、各床部材５の床フレーム５１に設けた連結ボルト６を支持部材２におけるフレーム２３に形成された長孔２３ａに挿通するとともに、支持板５５をフレーム２３に設けた半円筒状支持具２５に載置する。次いで、各長孔２３ａにそれぞれ挿通された連結ボルト６に支持部材２のフレーム２３の下面側からクッションゴム７を挿通するとともに、ナット８をねじ込んで床部材５を支持部材２に連結する。
【００３０】
ここで、クリアランススペースＳの幅Ｗ１：７００ｍｍ、床部材５の長さＬ１：１６００ｍｍ、一方の受部材３と他方の受け部材４との間隔Ｄ１が７５０ｍｍに設定されており、床部材５は、クリアランススペースＳの幅Ｗ１に略相当する長さの半部が他方の躯体Ｋ２側に延設されて、受部材３，４にわたって支持されている。
【００３１】
このような構造のエキスパンションジョイント１において、地震が発生し、一方の躯体Ｋ１と他方の躯体Ｋ２との間のクリアランススペースＳが変形した場合、例えば、一方の躯体Ｋ１に対して他方の躯体Ｋ２が相対的に上方向に変位した場合、各床部材５は支持部材２のフレーム２３に連結ボルト６およびナット８を介して連結されている他、各床部材５は、その床フレーム５１に固定した支持板５５が支持部材２のフレーム２３に設けた半円筒状支持具２５にそれぞれに載置されているため、図３において、その円筒面に沿って反時計回り方向に回動し、他方の躯体Ｋ２の相対的な上方向の変位に追従することができる。
【００３２】
この際、床部材５に固定された連結ボルト６は、支持部材２のフレーム２３に形成された長孔２３ａ内を揺動することから、半円筒状支持具２５の円筒面に沿って床部材５が回動するに際して支障を生じることはない。また、支持部材２と床部材５との間に発生する衝撃は、連結ボルト６に取り付けられたクッションゴム７が吸収し、衝撃音などを発生することを防止できる。
【００３３】
同様に、一方の躯体Ｋ１に対して他方の躯体Ｋ２が相対的に下方向に変位した場合も、図３において、各床部材５における床フレーム５１に固定した支持板５５が支持部材２のフレーム２３に設けた半円筒状支持具２５に載置され、その円筒面に沿って時計回り方向に回動し、他方の躯体Ｋ２の相対的な下方向の変位に追従することができる。
【００３４】
また、一方の躯体Ｋ１に対して他方の躯体Ｋ２が相対的にクリアランススペースＳの幅を縮小し、あるいは、拡大する方向（図２の左右方向）に変位した場合は、床部材５は、その底面である縦補強材５２がそれぞれ受部材３の受け材３２および受部材４の支持材４２上に支持されているため、床部材５が受部材３の受け材３２および受部材４の支持材４２に沿って摺動し、一方の躯体Ｋ１に対する他方の躯体Ｋ２の左右方向の相対的な変位に追従することができる。
【００３５】
この場合、クリアランススペースＳの幅Ｗ１と、受部材３の受け材３２および受部材４の支持材４２間の間隔Ｄ１とは、ほぼ同一であるため、クリアランススペースＳの幅Ｗ１を拡大する方向の移動は、ほぼクリアランススペースＳの幅Ｗ１に相当する長さ分許容することができる。その際、床部材５は、一端部が支持部材２に連結され、他端部が一方の受部材３の受け材３２に支持されるため、床部材５がクリアランススペースＳに脱落することはない。
【００３６】
さらに、一方の躯体Ｋ１に対して他方の躯体Ｋ２が相対的にクリアランススペースＳの長手方向（図２の紙面に直交する方向）に変位した場合も、床部材５は、その縦補強材５２がそれぞれ受部材３の受け材３２および受部材４の支持材４２上に支持されているため、床部材５が受部材３の受け材３２および受部材４の支持材４２に沿って摺動し、一方の躯体Ｋ１に対する他方の躯体Ｋ２のクリアランススペースＳの長手方向の相対的な変位に追従することができる。
【００３７】
この結果、エキスパンションジョイント１は、地震によって躯体Ｋ１，Ｋ２間に生じる相対的な３次元の変位に確実に追従することができる。しかも、床部材５を半円筒状支持具２５に載置して連結ボルト６およびナット８を介して支持部材２に連結するだけの簡単な構造でよく、格別な保守点検作業も不要となることから、コストを大幅に削減することができる。
【００３８】
ところで、前述した実施形態においては、一方の躯体Ｋ１と他方の躯体Ｋ２との間を車両が通行するエキスパンションジョイント１について説明したが、車両以外の歩行者のエキスパンションジョイントに適用することもできる。
【００３９】
例えば、図５および図６には、歩行者が通行するためのエキスパンションジョイント１が記載されている。
【００４０】
このエキスパンションジョイント１も、先に説明したエキスパンションジョイント１と同様に、一方の躯体Ｋ１に設けられ支持部材２と、他方の躯体Ｋ２に設けられた２個の受部材３，４と、クリアランススペースＳを跨いで躯体Ｋ１，Ｋ２間に架設された複数の床部材５と、から構成されている。このため、同一の部材には同一の符号を付してその詳細な説明を省略するとともに、相違する点についてのみ説明する。
【００４１】
床部材５は、床フレーム５１に浅い箱状の床材５７を連結して構成され、床材５７には、歩行用タイル５８が敷設されている。また、床フレーム５１には、下地材５１１を介して床見切り５１２が、その上端縁が歩行用タイル５８の上面と面一となるように溶着されている（図６参照）。
【００４２】
この床部材５も、クリアランススペースを跨ぐように、一方の躯体Ｋ１に設けられた支持部材２および他方の躯体Ｋ２に設けられた受部材３，４にわたって架設される。この際、各床部材５の床フレーム５１に設けた連結ボルト６が支持部材２におけるフレーム２３に形成された長孔２３ａに挿通され、支持板５５がフレーム２３に設けた半円筒状支持具２５に載置された後、連結ボルト６に支持部材２のフレーム２３の下面側からクッションゴム７が挿通されるとともに、ナット８が締結されて、床部材５は支持部材２に連結される。
【００４３】
このような構造のエキスパンションジョイント１においても、地震が発生し、一方の躯体Ｋ１に対して他方の躯体Ｋ２が相対的に上下方向に変位した場合、図６において、床部材５は、半円筒状支持具２５の円筒面に沿って時計回り方向あるいは反時計回り方向に回動し、一方の躯体Ｋ１に対する他方の躯体Ｋ２の上下方向の相対的な変位に追従することができる。
【００４４】
また、一方の躯体Ｋ１に対して他方の躯体Ｋ２が相対的にクリアランススペースＳの幅方向（図５の左右方向）に変位した場合は、床部材５は、その床材５７が受部材３の受け材３２および受部材４の支持材４２に沿って摺動し、一方の躯体Ｋ１に対する他方の躯体Ｋ２のクリアランススペースＳの幅方向の相対的な変位に追従することができる。
【００４５】
さらに、一方の躯体Ｋ１に対して他方の躯体Ｋ２が相対的にクリアランススペースＳの長手方向（図５の紙面に直交する方向）に変位した場合も、床部材５は、その床材５７が受部材３の受け材３２および受部材４の支持材４２に沿って摺動し、一方の躯体Ｋ１に対する他方の躯体Ｋ２のクリアランススペースＳの長手方向の相対的な変位に追従することができる。
【００４６】
この結果、エキスパンションジョイント１は、地震によって躯体Ｋ１，Ｋ２間に生じる相対的な３次元の変位に確実に追従することができる。しかも、床部材５を半円筒状支持具２５に載置して連結ボルト６およびナット８を介して支持部材２に連結するだけの簡単な構造でよく、格別な保守点検作業も不要となることから、コストを大幅に削減することができる。
【００４７】
さらに、前述した実施形態においては、半円筒状支持具２５を支持部材２に設けた場合を例示したが、床部材５に設けることもできる。
【００４８】
例えば、図７および図８に示すエキスパンションジョイント１は、前述した車両用エキスパンションジョイント１のうち、最終端のエキスパンションジョイント１に連続して設けられ、クリアランススペースＳの長手方向に沿って一方の躯体Ｋ１に対して他方の躯体Ｋ２が相対的に移動した際に、他方の躯体Ｋ２と最終端のエキスパンションジョイント１との間にクリアランススペースＳが開口しないように設けられる。
【００４９】
このエキスパンションジョイント１は、一方の躯体Ｋ１に設けられた支持部材２と、他方の躯体Ｋ２に設けられた受部材３と、躯体Ｋ１，Ｋ２間に架設された床部材５と、から構成されている。
【００５０】
ここで、支持部材２は、躯体Ｋ１に直接固定された断面Ｌ字状のフレーム２３で形成され、詳細には図示しないが、長手方向（図７の紙面に直交する方向）に設定間隔をおいて複数個の長孔２３ａが形成されている。
【００５１】
受け材３は、下地材３１および該下地材３１に溶着された受け材３２からなり、躯体Ｋ２に設けられている。この場合、他方の受部材４に対応する構成は設けられていないが、床部材５の底面は、他方の躯体Ｋ２の表面に直接載置されており、この躯体Ｋ２の表面が他方の受け部材４に相当するものである。
【００５２】
床部材５は、浅い箱状の床材５７に歩行用タイル５８を敷設して構成されており、床材５７の前端部に歩行用タイル５８の上面と面一となるように床見切り５７１が溶着されている。そして、床部材５における床材５７の前端部側下面には、前述したフレーム２３の長孔２３ａを挟むように対向する位置にそれぞれ半円透孔支持具２５が設けられている他、該長孔２３ａと対向する位置にボルト孔（図示せず）が形成されている。また、床部材５の床材５７の後端部は、傾斜面に形成されている他、その後端部には、ヒンジ５９１を介して渡り板５９が回動自在に軸支されている。
【００５３】
なお、他方の躯体Ｋ２には、クリアランススペースＳの長手方向（図７の左右方向）延長線上において、受部材３からクリアランススペースＳの幅に略相当する距離をおいてガイド９が設けられている。このガイド９は、その前面側が床部材５の床材５７の後端部に形成された傾斜面に対応する傾斜面に形成されており、床部材５が相対的に図７の左方向に移動した際に、床材５７の傾斜面がガイド９の傾斜面に案内されて乗り上げるようになっている。
【００５４】
この床部材５は、支持部材２のフレーム２３に形成された長孔２３ａに、クッションゴム７を介挿した連結ボルト６を挿通するとともに、床部材５における床材５７のボルト孔に挿通し、床部材５側においてナット８を介して締結されている。この際、床部材５に設けた半円筒状支持具２５が支持部材２のフレーム２３上に載置される。
【００５５】
このように構成されたエキスパンションジョイント１において、一方の躯体Ｋ１に対して他方の躯体Ｋ２が相対的に上下方向に変位した場合、図８において、床部材５は、半円筒状支持具２５の円筒面がフレーム２３上を時計回り方向あるいは反時計回り方向に転動し、一方の躯体Ｋ１に対する他方の躯体Ｋ２の上下方向の相対的な変位に追従することができる。
【００５６】
また、一方の躯体Ｋ１に対して他方の躯体Ｋ２が相対的にクリアランススペースＳの長手方向（図７の左右方向）に変位した場合、床部材５は、その床材５７が受部材３の受け材３２および躯体Ｋ２の表面を摺動し、一方の躯体Ｋ１に対する他方の躯体Ｋ２のクリアランススペースＳの長手方向の相対的な変位に追従することができる。
【００５７】
ここで、床部材５が図７において左方向に移動した場合、床材５７の後端側傾斜面がガイド９の前端側傾斜面に当接し、床材５はガイド９に乗り上げる。そして、渡り板５９はヒンジ回りに垂れ下がり、乗り上げた床部材５の歩行面との段差を連絡することになる（図９参照）。同様に、床部材５が図７において右方向に移動し、渡り板５９がガイド９から離脱したとしても、渡り板５９はヒンジ回りに垂れ下がり、躯体Ｋ２の表面と床部材５の歩行面との段差を連絡するものである。
【産業上の利用可能性】
【００５８】
以上のように本発明によれば、簡単な構造によって、地震による３次元の変位に対して確実に追従することができることから、地震によってクリアランススペースが開口することがなく、安全に脱出することができる。
【図面の簡単な説明】
【００５９】
【図１】エキスパンションジョイントを設けた建物の平面図である。
【図２】本発明のエキスパンションジョイントの一実施形態を示す図１のＡ−Ａ線断面図である。
【図３】図２のエキスパンションジョイントの要部の拡大図である。
【図４】図２のエキスパンションジョイントを説明する斜視図である。
【図５】本発明のエキスパンションジョイントの他の実施形態を示す図１のＢ−Ｂ線断面図である。
【図６】図５のエキスパンションジョイントの要部の拡大図である。
【図７】本発明のエキスパンションジョイントのもう一つの実施形態を示す図１のＣ−Ｃ線断面図である。
【図８】図７のエキスパンションジョイントの地震時の作動状態を説明する断面図である。
【図９】図７のエキスパンションジョイントの作動状態を説明する断面図である。
【符号の説明】
【００６０】
１  エキスパンションジョイント
２  支持部材
２３  フレーム
２３ａ  長孔
２５  半円筒状支持具
３，４  受部材
３２  受け材
４２  支持材
５  床部材
５１  床フレーム
５４  床板
５５  支持板
６  連結ボルト
７  クッションゴム
８  ナット
Ｋ１，Ｋ２  躯体
Ｓ  クリアランススペース
【図１】
2007002611.tif 000003
【図２】
2007002611.tif 000004
【図３】
2007002611.tif 000005
【図４】
2007002611.tif 000006
【図５】
2007002611.tif 000007
【図６】
2007002611.tif 000008
【図７】
2007002611.tif 000009
【図８】
2007002611.tif 000010
【図９】
2007002611.tif 000011